(57)【特許請求の範囲】
【請求項１】
第１のメディアアクセス制御（ＭＡＣ）パケットのための物理（ＰＨＹ）レイヤヘッダを生成することと、
前記ＰＨＹレイヤにおいて生成された情報を、前記第１のＭＡＣパケットに応答して受信されるべき第２のＭＡＣパケットを処理する際に使用するためにＭＡＣレイヤに受け渡すことと、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
送信のための前記第１のＭＡＣパケットを出力し、前記第２のＭＡＣパケットを取得することと
を備える、装置によって実行されるワイヤレス通信のための方法。
【請求項２】
前記情報が、前記第１のＭＡＣパケットの送信を確認する構造中で前記ＭＡＣレイヤに受け渡される、請求項１に記載の方法。
【請求項３】
前記情報が、前記第１のＭＡＣパケットの一部分のための巡回冗長検査（ＣＲＣ）値を生成するために使用された情報を備える、請求項１に記載の方法。
【請求項４】
前記情報が、前記第１のＭＡＣパケットのためのフレーム検査シーケンス（ＦＣＳ）値を生成するために使用された情報を備える、請求項１に記載の方法。
【請求項５】
第１のメディアアクセス制御（ＭＡＣ）パケットを取得することと、
前記第１のＭＡＣパケットの物理（ＰＨＹ）レイヤヘッダを処理することと、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すことと、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
を備える、装置によって実行されるワイヤレス通信のための方法。
【請求項６】
前記情報が、前記第１のＭＡＣパケットの受信を確認する構造中で前記ＭＡＣレイヤに受け渡される、請求項５に記載の方法。
【請求項７】
前記情報が、前記第１のＭＡＣパケットの一部分のための巡回冗長検査（ＣＲＣ）値を生成するために使用された情報を備える、請求項５に記載の方法。
【請求項８】
前記情報が、前記第１のＭＡＣパケットのためのフレーム検査シーケンス（ＦＣＳ）値を生成するために使用された情報を備える、請求項５に記載の方法。
【請求項９】
請求項１−８のうちのいずれか一項に記載の方法を実行するための命令を備えるコンピュータプログラム。
【請求項１０】
第１のメディアアクセス制御（ＭＡＣ）パケットのための物理レイヤ（ＰＨＹ）ヘッダを生成するための手段と、
前記ＰＨＹレイヤにおいて生成された情報を、前記第１のＭＡＣパケットに応答して受信されるべき第２のＭＡＣパケットを処理する際に使用するためにＭＡＣレイヤに受け渡すための手段と、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
送信のための前記第１のＭＡＣパケットを出力し、前記第２のＭＡＣパケットを取得するための手段と
を備える、ワイヤレス通信のための装置。
【請求項１１】
前記情報が、前記第１のＭＡＣパケットの送信を確認する構造中で前記ＭＡＣレイヤに受け渡される、請求項１０に記載の装置。
【請求項１２】
前記情報が、前記第１のＭＡＣパケットの一部分のための巡回冗長検査（ＣＲＣ）値を生成するために使用された情報を備える、請求項１０に記載の装置。
【請求項１３】
第１のメディアアクセス制御（ＭＡＣ）パケットを取得するための手段と、
前記第１のＭＡＣパケットの物理（ＰＨＹ）レイヤヘッダを処理するための手段と、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すための手段と、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
を備える、ワイヤレス通信のための装置。
【請求項１４】
前記情報が、前記第１のＭＡＣパケットの受信を確認する構造中で前記ＭＡＣレイヤに受け渡される、請求項１３に記載の装置。
【請求項１５】
前記情報が、前記第１のＭＡＣパケットの一部分のための巡回冗長検査（ＣＲＣ）値を生成するために使用された情報を備える、請求項１３に記載の装置。
【発明の詳細な説明】
【技術分野】
【０００１】
関連出願の相互参照
[0001]本出願は、その全体がともに参照により本明細書に組み込まれる、２０１４年１月１３日に出願された米国仮特許出願第６１／９２６，９３５号、および２０１５年１月１２日に出願された米国特許出願第１４／５９４，５５１号の利益を主張する。
【０００２】
[0002]本開示のいくつかの態様は、一般にワイヤレス通信に関し、より詳細には、ワイヤレスデバイスの物理（ＰＨＹ）レイヤとメディアアクセス制御（ＭＡＣ）レイヤとの間のいくつかのパラメータのシグナリングに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な方式が開発されている。１つのそのような方式は、米国電気電子技術者協会（ＩＥＥＥ）８０２．１１ａｈタスクフォースによって開発されている（たとえば、米国では９０２〜９２８ＭＨｚ範囲内で運用している）サブ１ＧＨｚ周波数範囲である。この開発は、他のＩＥＥＥ８０２．１１技術の周波数範囲に関連するワイヤレス範囲よりも大きいワイヤレス範囲と、妨害による経路損失に関連する潜在的により少ない問題とを有する周波数範囲を利用したいという要望によって推進される。
【発明の概要】
【０００５】
[0005]本開示の態様はワイヤレス通信のための装置を提供する。本装置は、概して、第１のメディアアクセス制御（ＭＡＣ）パケットのための物理レイヤ（ＰＨＹ）ヘッダを生成し、ＰＨＹレイヤにおいて生成された情報（たとえば、第１のＭＡＣパケットに対応する情報）を、第１のＭＡＣパケットに応答して受信されるべき第２のＭＡＣパケットを処理する際に使用するためにＭＡＣレイヤに受け渡すように構成された処理システムと、送信のための第１のＭＡＣパケットを出力し、第２のＭＡＣパケットを取得するためのインターフェースとを含む。
【０００６】
[0006]本開示の態様はワイヤレス通信のための方法を提供する。本方法は、概して、第１のメディアアクセス制御（ＭＡＣ）パケットのための物理レイヤ（ＰＨＹ）ヘッダを生成することと、ＰＨＹレイヤにおいて生成された情報（たとえば、第１のＭＡＣパケットに対応する情報）を、第１のＭＡＣパケットに応答して受信されるべき第２のＭＡＣパケットを処理する際に使用するためにＭＡＣレイヤに受け渡すことと、送信のための第１のＭＡＣパケットを出力し、第２のＭＡＣパケットを取得することとを含む。
【０００７】
[0007]本開示の態様はワイヤレス通信のための装置を提供する。本装置は、概して、第１のメディアアクセス制御（ＭＡＣ）パケットのための物理レイヤ（ＰＨＹ）ヘッダを生成するための手段と、ＰＨＹレイヤにおいて生成された情報（たとえば、第１のＭＡＣパケットに対応する情報）を、第１のＭＡＣパケットに応答して受信されるべき第２のＭＡＣパケットを処理する際に使用するためにＭＡＣレイヤに受け渡すための手段と、送信のための第１のＭＡＣパケットを出力し、第２のＭＡＣパケットを取得するための手段とを含む。
【０００８】
[0008]本開示の態様はワイヤレス局を提供する。本ワイヤレス局は、概して、少なくとも１つのアンテナと、第１のメディアアクセス制御（ＭＡＣ）パケットのための物理レイヤ（ＰＨＹ）ヘッダを生成し、ＰＨＹレイヤにおいて生成された情報（たとえば、第１のＭＡＣパケットに対応する情報）を、第１のＭＡＣパケットに応答して受信されるべき第２のＭＡＣパケットを処理する際に使用するためにＭＡＣレイヤに受け渡すように構成された処理システムと、少なくとも１つのアンテナを介して、送信のための第１のＭＡＣパケットを送信し、第２のＭＡＣパケットを受信するためのトランシーバとを含む。
【０００９】
[0009]本開示の態様は、命令を記憶した、ワイヤレス通信のための非一時的コンピュータ可読媒体を提供する。命令は、概して、第１のメディアアクセス制御（ＭＡＣ）パケットのための物理レイヤ（ＰＨＹ）ヘッダを生成するための命令と、ＰＨＹレイヤにおいて生成された情報（たとえば、第１のＭＡＣパケットに対応する情報）を、第１のＭＡＣパケットに応答して受信されるべき第２のＭＡＣパケットを処理する際に使用するためにＭＡＣレイヤに受け渡すための命令と、送信のための第１のＭＡＣパケットを出力し、第２のＭＡＣパケットを取得するための命令とを含む。
【００１０】
[0010]本開示の態様はワイヤレス通信のための装置を提供する。本装置は、概して、第１のメディアアクセス制御（ＭＡＣ）パケットを取得するためのインターフェースと、第１のＭＡＣパケットのための物理レイヤ（ＰＨＹ）ヘッダを処理し、ＰＨＹヘッダを処理することから導出された情報を、第１のＭＡＣパケットに応答して送信されるべき第２のＭＡＣパケットを生成する際に使用するためにＭＡＣレイヤに受け渡すように構成された処理システムとを含む。
【００１１】
[0011]本開示の態様はワイヤレス通信のための方法を提供する。本方法は、概して、第１のメディアアクセス制御（ＭＡＣ）パケットを取得することと、第１のＭＡＣパケットのための物理レイヤ（ＰＨＹ）ヘッダを処理することと、ＰＨＹヘッダを処理することから導出された情報を、第１のＭＡＣパケットに応答して送信されるべき第２のＭＡＣパケットを生成する際に使用するためにＭＡＣレイヤに受け渡すこととを含む。
【００１２】
[0012]本開示の態様はワイヤレス通信のための装置を提供する。本装置は、概して、第１のメディアアクセス制御（ＭＡＣ）パケットを取得するための手段と、第１のＭＡＣパケットのための物理レイヤ（ＰＨＹ）ヘッダを処理するための手段と、ＰＨＹヘッダを処理することから導出された情報を、第１のＭＡＣパケットに応答して送信されるべき第２のＭＡＣパケットを生成する際に使用するためにＭＡＣレイヤに受け渡すための手段とを含む。
【００１３】
[0013]本開示の態様はワイヤレス局を提供する。本ワイヤレス局は、概して、少なくとも１つのアンテナと、少なくとも１つのアンテナを介して第１のメディアアクセス制御（ＭＡＣ）パケットを受信するための受信機と、第１のＭＡＣパケットのための物理レイヤ（ＰＨＹ）ヘッダを処理し、ＰＨＹヘッダを処理することから導出された情報を、第１のＭＡＣパケットに応答して送信されるべき第２のＭＡＣパケットを生成する際に使用するためにＭＡＣレイヤに受け渡すように構成された処理システムとを含む。
【００１４】
[0014]本開示の態様は、命令を記憶した、ワイヤレス通信のための非一時的コンピュータ可読媒体を提供する。命令は、概して、第１のメディアアクセス制御（ＭＡＣ）パケットを取得するための命令と、第１のＭＡＣパケットのための物理レイヤ（ＰＨＹ）ヘッダを処理するための命令と、ＰＨＹヘッダを処理することから導出された情報を、第１のＭＡＣパケットに応答して送信されるべき第２のＭＡＣパケットを生成する際に使用するためにＭＡＣレイヤに受け渡すための命令とを含む。
【図面の簡単な説明】
【００１５】
【図１】[0015]本開示のいくつかの態様による、例示的なワイヤレス通信ネットワークの図。
【図２】[0016]本開示のいくつかの態様による、例示的なアクセスポイントおよびユーザ端末のブロック図。
【図３】[0017]本開示のいくつかの態様による、例示的なワイヤレスデバイスのブロック図。
【図４】[0018]本開示のいくつかの態様による、例示的な非ヌルデータパケット（非ＮＤＰ）フレーム構造を示す図。
【図４Ａ】本開示のいくつかの態様による、例示的な非ヌルデータパケット（非ＮＤＰ）フレーム構造を示す図。
【図５】[0019]本開示のいくつかの態様による、例示的なＮＤＰフレーム構造を示す図。
【図５Ａ】[0020]本開示のいくつかの態様による、２ＭＨｚ以上のＮＤＰ  ＭＡＣフレームを示す図。
【図６】[0021]本開示のいくつかの態様による、ＰＨＹレイヤとＭＡＣレイヤとの間のシグナリングのための、装置によるワイヤレス通信のための例示的な動作のブロック図。
【図６Ａ】[0022]図６に示された動作を実施することが可能な例示的な手段を示す図。
【図７】[0023]本開示のいくつかの態様による、ＰＨＹレイヤとＭＡＣレイヤとの間のシグナリングのための、装置によるワイヤレス通信のための例示的な動作のブロック図。
【図７Ａ】[0024]図７に示された動作を実施することが可能な例示的な手段を示す図。
【図８】[0025]本開示のいくつかの態様による、ＰＨＹレイヤとＭＡＣレイヤとの間のシグナリングを行うための例示的なシステムを示す図。
【図９】[0026]本開示のいくつかの態様による、ＲＸＶＥＣＴＯＲ／ＴＸＶＥＣＴＯＲ中でシグナリングされ得る様々なパラメータを示す図。
【発明を実施するための形態】
【００１６】
[0027]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載された本開示の様々な態様に加えてまたはそれら以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１７】
[0028]いくつかのワイヤレスシステムでは、制御応答フレーム（たとえば、ヌルデータパケット（ＮＤＰ）肯定応答（ＡＣＫ）、ＮＤＰ  ＢｌｏｃｋＡｃｋ、静的ＡＣＫ（ＳＴＡＣＫ）、ＮＤＰ変更ＡＣＫなど）についてメディアアクセス制御（ＭＡＣ）レイヤにおいてフレーム識別子を計算することは、物理（ＰＨＹ）レイヤにおいて生成された様々な異なるタイプの情報を使用する。しかしながら、現在、ＭＡＣレイヤからＰＨＹレイヤへのおよびＰＨＹレイヤからＭＡＣレイヤへの、フレーム識別子を生成するために使用される情報のシグナリングは欠落している。本開示の態様は、ＭＡＣレイヤとＰＨＹレイヤとの間で情報が共有され得るように、ＭＡＣレイヤとＰＨＹレイヤとの間のシグナリングのための技法を提供する。
【００１８】
[0029]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１９】
例示的なワイヤレス通信システム
[0030]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２０】
[0031]本明細書の教示は、様々なワイヤードまたはワイヤレス装置（たとえば、ノード）に組み込まれ得る（たとえば、その装置内に実装されるか、またはその装置によって実施され得る）。いくつかの態様では、本明細書の教示に従って実装されるワイヤレスノードはアクセスポイントまたはアクセス端末を備え得る。
【００２１】
[0032]アクセスポイント（ＡＰ）は、ノードＢ、無線ネットワークコントローラ（ＲＮＣ）、発展型ノードＢ（ｅＮＢ）、基地局コントローラ（ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、または何らかの他の用語を備えるか、それらのいずれかとして実装されるか、あるいはそれらのいずれかとして知られていることがある。
【００２２】
[0033]アクセス端末（ＡＴ）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。
【００２３】
[0034]図１に、アクセスポイントとユーザ端末とをもつ多元接続多入力多出力（ＭＩＭＯ）システム１００を示す。簡単のために、図１にはただ１つのＡＰ１１０が示されている。アクセスポイントは、概して、ユーザ端末と通信する固定局であり、基地局または何らかの他の用語で呼ばれることもある。ユーザ端末は、固定または移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントのための調整および制御を行う。
【００２４】
[0035]システムコントローラ１３０は、これらのＡＰおよび／または他のシステムのための調整および制御を行い得る。ＡＰは、たとえば、無線周波数電力、チャネル、認証、およびセキュリティの調整を扱い得るシステムコントローラ１３０によって管理され得る。システムコントローラ１３０はバックホールを介してＡＰと通信し得る。ＡＰはまた、たとえば、直接、あるいはワイヤレスまたはワイヤラインバックホールを介して間接的に、互いと通信し得る。
【００２５】
[0036]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長し得る。
【００２６】
[0037]システム１００は、ダウンリンクおよびアップリンク上でのデータ伝送のために複数の送信アンテナおよび複数の受信アンテナを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡの場合、Ｋ個のユーザ端末のためのデータシンボルストリームが何らかの手段によってコード、周波数または時間において多重化されない場合、Ｎap≧Ｋ≧１が成り立つことが望まれる。データシンボルストリームがＴＤＭＡ技法、ＣＤＭＡを用いた異なるコードチャネル、ＯＦＤＭを用いたサブバンドの独立セットなどを使用して多重化され得る場合、ＫはＮapよりも大きくなり得る。各選択されたユーザ端末は、ユーザ固有データをアクセスポイントに送信し、および／またはアクセスポイントからユーザ固有データを受信する。概して、各選択されたユーザ端末は１つまたは複数のアンテナを装備し得る（すなわち、Ｎut≧１）。Ｋ個の選択されたユーザ端末は同じまたは異なる数のアンテナを有することができる。
【００２７】
[0038]ＳＤＭＡシステムは時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００２８】
[0039]図２に、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ａｐを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上の同時送信のために選択され、Ｎdn個のユーザ端末がダウンリンク上の同時送信のために選択され、ＮupはＮdnに等しいことも等しくないこともあり、ＮupおよびＮdnは、静的値であり得るか、またはスケジューリング間隔ごとに変化することがある。ビームステアリングまたは何らかの他の空間処理技法がアクセスポイントおよびユーザ端末において使用され得る。
【００２９】
[0040]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。コントローラ２８０はメモリ２８２と結合され得る。ＴＸデータプロセッサ２８８は、ユーザ端末のために選択されたレートに関連するコーディングおよび変調方式に基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実施し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３０】
[0041]Ｎup個のユーザ端末がアップリンク上の同時送信のためにスケジュールされ得る。これらのユーザ端末の各々は、それのデータシンボルストリームに対して空間処理を実施し、アップリンク上で送信シンボルストリームのそれのセットをアクセスポイントに送信する。
【００３１】
[0042]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実施された処理を補足する処理を実施し、受信シンボルストリームを与える。ＲＸ空間プロセッサ２４０は、Ｎap個の受信機ユニット２２２からのＮap個の受信シンボルストリームに対して受信機空間処理を実施し、Ｎup個の復元アップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実施される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。コントローラ２３０はメモリ２３２と結合され得る。
【００３２】
[0043]ダウンリンク上で、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実施し、Ｎap個の送信シンボルストリームをＮap個のアンテナに与える。各送信機ユニット２２２は、ダウンリンク信号を生成するために、それぞれの送信シンボルストリームを受信し、処理する。Ｎap個のアンテナ２２４からユーザ端末への送信のためのＮap個のダウンリンク信号を与えるＮap個の送信機ユニット２２２。
【００３３】
[0044]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実施し、復元ダウンリンクデータシンボルストリームをユーザ端末に与える。受信機空間処理は、ＣＣＭＩ、ＭＭＳＥまたは何らかの他の技法に従って実施される。ＲＸデータプロセッサ２７０は、ユーザ端末のための復号データを取得するために、復元ダウンリンクデータシンボルストリームを処理（たとえば、復調、デインターリーブおよび復号）する。
【００３４】
[0045]各ユーザ端末１２０において、チャネル推定器２７８は、ダウンリンクチャネル応答を推定し、チャネル利得推定値、信号対雑音（ＳＮＲ）推定値、雑音分散などを含み得るダウンリンクチャネル推定値を与える。同様に、アクセスポイント１１０において、チャネル推定器２２８は、アップリンクチャネル応答を推定し、アップリンクチャネル推定値を与える。各ユーザ端末のためのコントローラ２８０は、一般に、そのユーザ端末のためのダウンリンクチャネル応答行列Ｈdn,mに基づいてユーザ端末のための空間フィルタ行列を導出する。コントローラ２３０は、有効アップリンクチャネル応答行列Ｈup,effに基づいてアクセスポイントのための空間フィルタ行列を導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれアクセスポイント１１０およびユーザ端末１２０における様々な処理ユニットの動作を制御する。
【００３５】
[0046]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００３６】
[0047]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実施する。メモリ３０６中の命令は、本明細書で説明する方法を実装するために実行可能であり得る。
【００３７】
[0048]ワイヤレスデバイス３０２はまた、ワイヤレスデバイス３０２とリモートノードとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３８】
[0049]ワイヤレスデバイス３０２はまた、トランシーバ３１４によって受信された信号のレベルを検出し、定量化するために使用され得る信号検出器３１８を含み得る。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するデジタル信号プロセッサ（ＤＳＰ）３２０を含み得る。
【００３９】
[0050]ワイヤレスデバイス３０２の様々な構成要素は、データバスに加えて、電力バスと、制御信号バスと、ステータス信号バスとを含み得る、バスシステム３２２によって互いに結合され得る。
【００４０】
ＰＨＹレイヤとＭＡＣレイヤとの間の例示的なシグナリング
[0051]上述のように、いくつかのワイヤレスシステムでは、制御応答フレームについてメディアアクセス制御（ＭＡＣ）レイヤにおいてフレーム識別子を計算することは、物理（ＰＨＹ）レイヤにおいて生成された様々な異なるタイプの情報を使用する。たとえば、米国電気電子技術者協会（ＩＥＥＥ）８０２．１１ａｈ規格は、ヌルデータパケット（ＮＤＰ）肯定応答（ＡＣＫ）、ＮＤＰ  ＢｌｏｃｋＡｃｋ、静的ＡＣＫ（ＳＴＡＣＫ）、およびＮＤＰ変更ＡＣＫフレームについてフレーム識別子を計算することが、スクランブラ初期化情報と、フレーム検査シーケンス（ＦＣＳ）フィールド情報と、巡回冗長検査（ＣＲＣ）情報とを使用し得ることを規定している。
【００４１】
[0052]これらのフレーム識別子の計算はＭＡＣレイヤにおいて実施され得るが、フレーム識別子を計算するために使用される情報はＰＨＹレイヤにおいて生成され得る。本開示の態様は、そのような情報がＭＡＣレイヤとＰＨＹレイヤとの間で共有され得るように、ＭＡＣレイヤとＰＨＹレイヤとの間のシグナリングのための技法を提供する。
【００４２】
[0053]本開示の態様は、８０２．１１ａｈなどのワイヤレス規格によって規定されているように、フレーム識別子計算が可能にされ得るように、ＭＡＣからＰＨＹへのおよびＰＨＹからＭＡＣへのパラメータ（たとえば、スクランブラ初期化情報、フレーム検査シーケンス（ＦＣＳ）フィールド情報、およびＣＲＣ情報、またはＰＨＹレイヤとＭＡＣレイヤとの間でシグナリングされる必要があり得る他のタイプの情報）のシグナリングの手段を提供する。
【００４３】
[0054]本開示の態様は、フレーム（たとえば、応答フレームを引き出すフレームの受信機においてＰＨＹからＭＡＣへのシグナリングを介して搬送され得るパラメータ（たとえば、ＲＸＶＥＣＴＯＲパラメータＳＣＲＡＭＢＬＥＲ＿ＯＲ＿ＣＲＣ）を提供する。同じタイプのパラメータが、フレームの送信機においてＰＨＹシグナリングを介して（たとえば、ＰＨＹ．ＴＸＥＮＤプリミティブ中で）搬送され得る）。
【００４４】
[0055]そのようなシグナリングは、受信機におけるプロトコルスタックの上位レイヤが（たとえば、ＭＡＣレイヤにおいて）、それのＰＨＹレイヤから、受信されたフレームのスクランブラまたはＣＲＣ値を取得することを可能にし得る。同様に、そのようなシグナリングは、送信機におけるプロトコルスタックの上位レイヤが、送信されたフレームについて、それのＰＨＹレイヤによって生成された値を取得することを可能にし得る。
【００４５】
[0056]いくつかの場合には、このシグナリングは新しいパラメータとして与えられ得る。他の場合には、シグナリングは、たとえば、ＲＸＶＥＣＴＯＲおよびＰＨＹ．ＴＸＥＮＤプリミティブのうちの一方または両方中の既存のパラメータに情報を連結することによって与えられ得る。いずれの場合も、このシグナリングによって搬送される情報は、ショートビーコン（Short Beacon）フレームおよびショートプローブ応答（Short Probe Response）など、ＩＥＥＥ８０２．１１ａｈにおける他の量の計算のためにＭＡＣによって使用され得る、フレームのＦＣＳフィールドの値を取得するために使用され得る。場合によっては、情報は、ＰＨＹ．ＲＸＥＮＤプリミティブまたはＰＨＹ．ＴＸＥＮＤプリミティブのいずれか中で搬送され得る。
【００４６】
[0057]いくつかの態様によれば、スクランブラ初期化値またはＣＲＣ値のシグナリングは、ＰＨＹ．ＴＸＥＮＤ．ｃｏｎｆｉｒｍプリミティブ（ＰＬＣＰプロトコルデータユニット（ＰＰＤＵ）送信の終端を示すために使用される機構）中で搬送され得る、本明細書ではＳＣＲＡＭＢＬＥＲ＿ＯＲ＿ＣＲＣと呼ぶパラメータを介して搬送され得る。ＳＣＲＡＭＢＬＥＲ＿ＯＲ＿ＣＲＣパラメータは、パケットが（たとえば、フラグｄｏｔ１１Ｓ１ＧＯｐｔｉｏｎＩｍｐｌｅｍｅｎｔｅｄが真であることによって示されるように）サブ１ＧＨｚ「Ｓ１Ｇ」シグナリングをサポートする能力を示す場合に存在し得る。実際のＳＣＲＡＭＢＬＥＲ＿ＯＲ＿ＣＲＣパラメータ値およびそれの意味は、送信されたフレームのタイプに依存し得る。
【００４７】
[0058]一例として、図４に示されているような非ヌルデータパケット（非ＮＤＰ）フレーム４００の場合、ＳＣＲＡＭＢＬＥＲ＿ＯＲ＿ＣＲＣパラメータの値は、スクランブリングの後のサービスフィールド中のスクランブラ初期化値であり得る。図示のように、ＳＣＲＡＭＢＬＥＲ＿ＯＲ＿ＣＲＣパラメータは、非ＮＤＰフレーム４００のデータフィールドの、図４Ａに示されているサービスフィールドのビットＢ０：Ｂ６中の値であり得る。
【００４８】
[0059]図５を参照すると、ＮＤＰ  ＭＡＣフレームの場合、ＳＣＲＡＭＢＬＥＲ＿ＯＲ＿ＣＲＣパラメータの値は、ＰＨＹヘッダの信号ＳＩＧ／ＳＩＧＡフィールド中の計算されたＣＲＣ値であり得る。図５は１ＭＨｚ  ＮＤＰ  ＭＡＣフレームを示しているが、パラメータは、（たとえば、８０２．１１ａｈネットワークにおいて）生成された任意のフレームの場合と同様にして計算され得る。図５に示されたＳ１Ｇ  ＮＤＰフレームでは、ＣＲＣ値はＳＩＧフィールドのビット［Ｂ２６：Ｂ２９］中で搬送され得る。図５Ａに示されているように、別のタイプのＮＤＰ  ＭＡＣフレーム（≧２ＭＨｚ）では、ＣＲＣ値はＳＩＧＡフィールドのビット［Ｂ３８：Ｂ４１］中で搬送され得る。
【００４９】
[0060]いくつかの態様によれば、受信機は、スクランブラ、ＦＣＳ、および／またはＣＲＣ情報を備えるＭＡＣプロトコルデータユニット（ＭＰＤＵ）を送信機から受信し得る。受信機は、次いで、受信されたＭＰＤＵ中に含まれている情報（たとえば、スクランブラ初期化情報、ＦＣＳフィールド情報、および／またはＣＲＣ情報）に基づいて応答フレーム（たとえば、ＮＤＰ  ＡＣＫ、ＮＤＰ  ＢｌｏｃｋＡｃｋ、ＳＴＡＣＫ、ＮＤＰ変更ＡＣＫ）を生成し得る。たとえば、受信機は、受信されたＮＤＰ省電力（ＰＳ）ポールのＣＲＣ値に基づいて計算されたＡＣＫ識別子（ＩＤ）を含むＮＤＰ変更ＡＣＫを送り得る。送信機は、ＮＤＰ変更ＡＣＫを受信し、ＡＣＫ  ＩＤに基づいて、送信機が送ったＭＰＤＵが受信されたかどうかを決定し得る。
【００５０】
[0061]本開示の態様は、ＡＣＫ  ＩＤを決定するために、（ＰＨＹレイヤにおいて処理を実施する）送信機のＰＨＹエンティティにおいて生成された情報を（ＭＡＣレイヤにおいて処理を実施する）ＭＡＣエンティティにシグナリングするための機構を提供する。
【００５１】
[0062]図６は、本開示の態様による、ＰＨＹレイヤとＭＡＣレイヤとの間のシグナリングのための動作６００のブロック図である。動作６００は、たとえば、応答を引き出すように設計されたフレームを送る要求側装置によって実施され得る。
【００５２】
[0063]動作６００は、６０２において、第１のメディアアクセス制御（ＭＡＣ）パケットのための物理レイヤ（ＰＨＹ）ヘッダを生成することから開始する。６０４において、装置は、ＰＨＹレイヤにおいて生成された情報（たとえば、第１のＭＡＣパケットに対応する情報）を、第１のＭＡＣパケットに応答して受信されるべき第２のＭＡＣパケットを処理する際に使用するためにＭＡＣレイヤに受け渡す。６０６において、装置は、送信のための第１のＭＡＣパケットを出力し、第２のＭＡＣパケットを取得する。
【００５３】
[0064]図７は、本開示の態様による、ＰＨＹレイヤとＭＡＣレイヤとの間のシグナリングのための動作７００のブロック図である。動作７００は応答側装置によって実施され得る。言い換えれば、動作７００は、動作６００と相補関係にあると考えられ得る。
【００５４】
[0065]動作７００は、７０２において、第１のメディアアクセス制御（ＭＡＣ）パケットを取得することから開始する。７０４において、装置は、第１のＭＡＣパケットのための物理レイヤ（ＰＨＹ）ヘッダを処理する。７０６において、装置は、ＰＨＹヘッダを処理することからの情報を、第１のＭＡＣパケットに応答して送信されるべき第２のＭＡＣパケットを生成する際に使用するためにＭＡＣレイヤに受け渡す。
【００５５】
[0066]いくつかの態様によれば、情報は、第１のＭＡＣパケットの送信を確認する構造中でＭＡＣレイヤに受け渡される。上述のように、情報は、第１のＭＡＣパケットのためのＣＲＣ値を生成するために使用された情報を備え得る。いくつかの態様によれば、ＣＲＣ値は、ＭＡＣパケットを搬送するフレームのＰＨＹヘッダのＳＩＧ／ＳＩＧＡフィールドを保護するために生成される。上述のように、ＭＡＣパケットは、情報がＳＩＧ／ＳＩＧＡフィールド中に含まれるヌルデータパケット（ＮＤＰ）であり得る。一例として、パケットはＮＤＰ  ＰＳポールフレームであり得る。
【００５６】
[0067]いくつかの態様によれば、情報は、第１のＭＡＣパケットのためのＦＣＳ値を生成するために使用された情報を備え得る。他の態様によれば、情報は、第１のＭＡＣパケットの１つまたは複数の部分をスクランブルするために使用された情報を備え得る。
【００５７】
[0068]いくつかの態様によれば、ＭＡＣレイヤに受け渡される情報のタイプは第１のＭＡＣパケットのタイプに依存し得る。たとえば、いくつかの態様によれば、ＭＡＣパケットが（図４および図４Ａに示された）第１のタイプである場合、ＣＲＣ値を生成するために使用された情報がＭＡＣレイヤに受け渡され得、またはＭＡＣパケットが（図５および図５Ａに示された）第２のタイプである場合、ＭＡＣパケットの１つまたは複数の部分をスクランブルするために使用された情報がＭＡＣレイヤに受け渡され得る。さらなる態様によれば、ＭＡＣレイヤは、第２のＭＡＣパケットが第１のＭＡＣパケットに応答して受信されたかどうかを決定するために情報を使用し得る。
【００５８】
[0069]図８に、ＰＨＹレイヤとＭＡＣレイヤとの間のシグナリングが要求側デバイス（リクエスタ）および応答側デバイス（レスポンダ）においてどのように使用されるか、すなわち、図６および図７に示された動作６００および動作７００の一例を示す。図示のように、８０２において、リクエスタは、送信請求パケットを生成するときにＰＨＹレイヤにおいて生成された情報をＭＡＣレイヤに受け渡す。８０４において、レスポンダは、ＰＨＹにおいて生成された情報をＭＡＣレイヤに受け渡す。８０８において、ＭＡＣレイヤは、応答パケットを生成するために情報を使用する。応答パケットを受信すると、８０８において、リクエスタは、応答が送信請求パケットへのものであると決定するために（８０２においてＰＨＹからＭＡＣに受け渡された）情報を使用する。
【００５９】
[0070]図９に示す表９００は、本開示のいくつかの態様による、ＲＸＶＥＣＴＯＲ／ＴＸＶＥＣＴＯＲパラメータ中でシグナリングされ得る様々なパラメータを示している。表９００は、パラメータの値および意味がフレームのタイプに応じてどのように異なり得るかを示している。図示のように、非ＮＤＰフレームの場合、パラメータは、逆スクランブルより前のサービスフィールド中のスクランブラ初期化値を示し得る。一方、ＮＤＰフレームの場合、パラメータは、ＳＩＧ／ＳＩＧＡフィールド中の計算されたＣＲＣの値を示し得る。
【００６０】
[0071]上記で説明した方法の様々な動作は、対応する機能を実施することが可能な任意の好適な手段によって実施され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。たとえば、図６および図７に示された動作６００および動作７００は、図６Ａおよび図７Ａに示された手段６００Ａおよび手段７００Ａに対応する。
【００６１】
[0072]たとえば、送信（または出力）するための手段は、図２に示されたアクセスポイント１１０の送信機（たとえば、送信機ユニット２２２）および／または（１つまたは複数の）アンテナ２２４、あるいは図３に示された送信機３１０および／または（１つまたは複数の）アンテナ３１６を備え得る。受信（または取得）するための手段は、図２に示されたアクセスポイント１１０の受信機（たとえば、受信機ユニット２２２）および／または（１つまたは複数の）アンテナ２２４、あるいは図３に示された受信機３１２および／または（１つまたは複数の）アンテナ３１６を備え得る。
【００６２】
[0073]生成するための手段、決定するための手段、処理するための手段、および情報を受け渡すための手段は、図２に示されたアクセスポイント１１０のＲＸデータプロセッサ２４２、ＴＸデータプロセッサ２１０、および／またはコントローラ２３０、あるいは図３に描かれたプロセッサ３０４および／またはＤＳＰ３２０など、１つまたは複数のプロセッサを含み得る、処理システムを備え得る。
【００６３】
[0074]いくつかの態様によれば、そのような手段は、上記で説明した（たとえば、ハードウェアでまたはソフトウェア命令を実行することによって）様々なアルゴリズムを実装することによって、対応する機能を実施するように構成された処理システムによって実装され得る。
【００６４】
[0075]本明細書で使用する「決定すること」という用語は、多種多様なアクションを包含する。たとえば、「決定すること」は、計算すること（calculating）、計算すること（computing）、処理すること、導出すること、調査すること、ルックアップすること（たとえば、テーブル、データベースまたは別のデータ構造においてルックアップすること）、確認することなどを含み得る。さらに、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００６５】
[0076]本明細書で使用する「出力すること」という用語は、実際の送信、または送信のためのあるエンティティ（たとえば、処理システム）から別のエンティティ（たとえば、ＲＦフロントエンドまたはモデム）への（バスなどのインターフェースを介した）構造の出力を伴い得る。同様に、本明細書で使用する「取得すること」という用語は、オーバージエアで送信された構造の実際の受信、またはあるエンティティ（たとえば、処理システム）が別のエンティティ（たとえば、ＲＦフロントエンドまたはモデム）から（バスなどのインターフェースを介して）構造を取得することを伴い得る。
【００６６】
[0077]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００６７】
[0078]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６８】
[0079]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００６９】
[0080]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００７０】
[0081]説明した機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。
【００７１】
[0082]プロセッサは、バスを管理することと、機械可読媒体に記憶されたソフトウェアの実行を含む一般的な処理とを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００７２】
[0083]ハードウェア実装形態では、機械可読媒体は、プロセッサとは別個の処理システムの一部であり得る。しかしながら、当業者が容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／または、ワイヤレスノードとは別個の、命令がその上に記憶されたコンピュータ可読記憶媒体を含み得る。代替的に、または追加として、機械可読媒体またはその任意の部分は、キャッシュおよび／または汎用レジスタファイルがそうであり得るように、プロセッサに統合され得る。
【００７３】
[0084]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、単一のチップに統合されたプロセッサ、バスインターフェース、アクセス端末）の場合はユーザインターフェース、サポート回路、機械可読媒体の少なくとも一部分をもつＡＳＩＣ（特定用途向け集積回路）を用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて実装され得る。当業者は、特定の適用例および全体的なシステムに課される全体的な設計制約に応じて、処理システムについて説明した機能をどのようにしたら最も良く実装し得るかを認識されよう。
【００７４】
[0085]機械可読媒体はいくつかのソフトウェアモジュールを備え得る。ソフトウェアモジュールは、プロセッサなどの装置によって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００７５】
[0086]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含まれるべきである。
【００７６】
[0087]したがって、いくつかの態様は、本明細書で提示した動作を実施するためのコンピュータプログラム製品を備え得る。たとえば、そのようなコンピュータプログラム製品は、本明細書で説明した動作を実施するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７７】
[0088]さらに、本明細書で説明した方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実施するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００７８】
[0089]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
第１のメディアアクセス制御（ＭＡＣ）パケットのための物理（ＰＨＹ）レイヤヘッダを生成し、前記ＰＨＹレイヤにおいて生成された情報を、前記第１のＭＡＣパケットに応答して受信されるべき第２のＭＡＣパケットを処理する際に使用するためにＭＡＣレイヤに受け渡すように構成された処理システムと、
送信のための前記第１のＭＡＣパケットを出力し、前記第２のＭＡＣパケットを取得するためのインターフェースと
を備える、ワイヤレス通信のための装置。
［Ｃ２］
前記情報が、前記第１のＭＡＣパケットの送信を確認する構造中で前記ＭＡＣレイヤに受け渡される、Ｃ１に記載の装置。
［Ｃ３］
前記情報が、前記第１のＭＡＣパケットの一部分のための巡回冗長検査（ＣＲＣ）値を生成するために使用された情報を備える、Ｃ１に記載の装置。
［Ｃ４］
前記第１のＭＡＣパケットの前記一部分が前記ＰＨＹヘッダの信号（ＳＩＧ）フィールドを備える、Ｃ３に記載の装置。
［Ｃ５］
前記情報が、前記第１のＭＡＣパケットのためのフレーム検査シーケンス（ＦＣＳ）値を生成するために使用された情報を備える、Ｃ１に記載の装置。
［Ｃ６］
前記情報が、前記第１のＭＡＣパケットの１つまたは複数の部分をスクランブルするために使用された情報を備える、Ｃ１に記載の装置。
［Ｃ７］
前記第１のＭＡＣパケットの前記１つまたは複数の部分をスクランブルするために使用された前記情報が前記第１のＭＡＣパケットのサービスフィールド中に含まれる、Ｃ６に記載の装置。
［Ｃ８］
前記ＭＡＣレイヤに受け渡される前記情報のタイプが前記第１のＭＡＣパケットのタイプに依存する、Ｃ１に記載の装置。
［Ｃ９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ１に記載の装置。
［Ｃ１０］
前記ＭＡＣレイヤは、前記第２のＭＡＣパケットが前記第１のＭＡＣパケットに応答して受信されたかどうかを決定するために前記情報を使用する、Ｃ１に記載の装置。
［Ｃ１１］
第１のメディアアクセス制御（ＭＡＣ）パケットを取得するためのインターフェースと、
前記第１のＭＡＣパケットの物理（ＰＨＹ）レイヤヘッダを処理し、前記ＰＨＹヘッダを処理することから導出された情報を、前記第１のＭＡＣパケットに応答して送信されるべき第２のＭＡＣパケットを生成する際に使用するためにＭＡＣレイヤに受け渡すように構成された処理システムと
を備える、ワイヤレス通信のための装置。
［Ｃ１２］
前記情報が、前記第１のＭＡＣパケットの受信を確認する構造中で前記ＭＡＣレイヤに受け渡される、Ｃ１１に記載の装置。
［Ｃ１３］
前記情報が、前記第１のＭＡＣパケットの一部分のための巡回冗長検査（ＣＲＣ）値を生成するために使用された情報を備える、Ｃ１１に記載の装置。
［Ｃ１４］
前記第１のＭＡＣパケットの前記一部分が前記ＰＨＹヘッダの信号（ＳＩＧ）フィールドを備える、Ｃ１３に記載の装置。
［Ｃ１５］
前記情報が、前記第１のＭＡＣパケットのためのフレーム検査シーケンス（ＦＣＳ）値を生成するために使用された情報を備える、Ｃ１１に記載の装置。
［Ｃ１６］
前記情報が、前記第１のＭＡＣパケットの１つまたは複数の部分をスクランブルするために使用された情報を備える、Ｃ１１に記載の装置。
［Ｃ１７］
前記第１のＭＡＣパケットの前記１つまたは複数の部分をスクランブルするために使用された前記情報が前記第１のＭＡＣパケットのサービスフィールド中に含まれる、Ｃ１６に記載の装置。
［Ｃ１８］
前記ＭＡＣレイヤに受け渡される前記情報のタイプが前記第１のＭＡＣパケットのタイプに依存する、Ｃ１１に記載の装置。
［Ｃ１９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ１１に記載の装置。
［Ｃ２０］
前記ＭＡＣレイヤは、前記第２のＭＡＣパケットが前記第１のＭＡＣパケットに応答して生成されたという指示として前記第２のＭＡＣパケットのためのフレーム識別子を生成するために前記情報を使用する、Ｃ１１に記載の装置。
［Ｃ２１］
第１のメディアアクセス制御（ＭＡＣ）パケットのための物理（ＰＨＹ）レイヤヘッダを生成することと、
前記ＰＨＹレイヤにおいて生成された情報を、前記第１のＭＡＣパケットに応答して受信されるべき第２のＭＡＣパケットを処理する際に使用するためにＭＡＣレイヤに受け渡すことと、
送信のための前記第１のＭＡＣパケットを出力し、前記第２のＭＡＣパケットを取得することと
を備える、ワイヤレス通信のための方法。
［Ｃ２２］
前記情報が、前記第１のＭＡＣパケットの送信を確認する構造中で前記ＭＡＣレイヤに受け渡される、Ｃ２１に記載の方法。
［Ｃ２３］
前記情報が、前記第１のＭＡＣパケットの一部分のための巡回冗長検査（ＣＲＣ）値を生成するために使用された情報を備える、Ｃ２１に記載の方法。
［Ｃ２４］
前記第１のＭＡＣパケットの前記一部分が前記ＰＨＹヘッダの信号（ＳＩＧ）フィールドを備える、Ｃ２３に記載の方法。
［Ｃ２５］
前記情報が、前記第１のＭＡＣパケットのためのフレーム検査シーケンス（ＦＣＳ）値を生成するために使用された情報を備える、Ｃ２１に記載の方法。
［Ｃ２６］
前記情報が、前記第１のＭＡＣパケットの１つまたは複数の部分をスクランブルするために使用された情報を備える、Ｃ２１に記載の方法。
［Ｃ２７］
前記第１のＭＡＣパケットの前記１つまたは複数の部分をスクランブルするために使用された前記情報が前記第１のＭＡＣパケットのサービスフィールド中に含まれる、Ｃ２６に記載の方法。
［Ｃ２８］
前記ＭＡＣレイヤに受け渡される前記情報のタイプが前記第１のＭＡＣパケットのタイプに依存する、Ｃ２１に記載の方法。
［Ｃ２９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
Ｃ２１に記載の方法。
［Ｃ３０］
前記ＭＡＣレイヤは、前記第２のＭＡＣパケットが前記第１のＭＡＣパケットに応答して受信されたかどうかを決定するために前記情報を使用する、Ｃ２１に記載の方法。
［Ｃ３１］
第１のメディアアクセス制御（ＭＡＣ）パケットを取得することと、
前記第１のＭＡＣパケットの物理（ＰＨＹ）レイヤヘッダを処理することと、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すことと
を備える、ワイヤレス通信のための方法。
［Ｃ３２］
前記情報が、前記第１のＭＡＣパケットの受信を確認する構造中で前記ＭＡＣレイヤに受け渡される、Ｃ３１に記載の方法。
［Ｃ３３］
前記情報が、前記第１のＭＡＣパケットの一部分のための巡回冗長検査（ＣＲＣ）値を生成するために使用された情報を備える、Ｃ３１に記載の方法。
［Ｃ３４］
前記第１のＭＡＣパケットの前記一部分が前記ＰＨＹヘッダの信号（ＳＩＧ）フィールドを備える、Ｃ３３に記載の方法。
［Ｃ３５］
前記情報が、前記第１のＭＡＣパケットのためのフレーム検査シーケンス（ＦＣＳ）値を生成するために使用された情報を備える、Ｃ３１に記載の方法。
［Ｃ３６］
前記情報が、前記第１のＭＡＣパケットの１つまたは複数の部分をスクランブルするために使用された情報を備える、Ｃ３１に記載の方法。
［Ｃ３７］
前記第１のＭＡＣパケットの前記１つまたは複数の部分をスクランブルするために使用された前記情報が前記第１のＭＡＣパケットのサービスフィールド中に含まれる、Ｃ３６に記載の方法。
［Ｃ３８］
前記ＭＡＣレイヤに受け渡される前記情報のタイプが前記第１のＭＡＣパケットのタイプに依存する、Ｃ３１に記載の方法。
［Ｃ３９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
Ｃ３１に記載の方法。
［Ｃ４０］
前記ＭＡＣレイヤは、前記第２のＭＡＣパケットが前記第１のＭＡＣパケットに応答して生成されたという指示として前記第２のＭＡＣパケットのためのフレーム識別子を生成するために前記情報を使用する、Ｃ３１に記載の方法。
［Ｃ４１］
第１のメディアアクセス制御（ＭＡＣ）パケットのための物理レイヤ（ＰＨＹ）ヘッダを生成するための手段と、
前記ＰＨＹレイヤにおいて生成された情報を、前記第１のＭＡＣパケットに応答して受信されるべき第２のＭＡＣパケットを処理する際に使用するためにＭＡＣレイヤに受け渡すための手段と、
送信のための前記第１のＭＡＣパケットを出力し、前記第２のＭＡＣパケットを取得するための手段と
を備える、ワイヤレス通信のための装置。
［Ｃ４２］
前記情報が、前記第１のＭＡＣパケットの送信を確認する構造中で前記ＭＡＣレイヤに受け渡される、Ｃ４１に記載の装置。
［Ｃ４３］
前記情報が、前記第１のＭＡＣパケットの一部分のための巡回冗長検査（ＣＲＣ）値を生成するために使用された情報を備える、Ｃ４１に記載の装置。
［Ｃ４４］
前記第１のＭＡＣパケットの前記一部分が前記ＰＨＹヘッダの信号（ＳＩＧ）フィールドを備える、Ｃ４３に記載の装置。
［Ｃ４５］
前記情報が、前記第１のＭＡＣパケットのためのフレーム検査シーケンス（ＦＣＳ）値を生成するために使用された情報を備える、Ｃ４１に記載の装置。
［Ｃ４６］
前記情報が、前記第１のＭＡＣパケットの１つまたは複数の部分をスクランブルするために使用された情報を備える、Ｃ４１に記載の装置。
［Ｃ４７］
前記第１のＭＡＣパケットの前記１つまたは複数の部分をスクランブルするために使用された前記情報が前記第１のＭＡＣパケットのサービスフィールド中に含まれる、Ｃ４６に記載の装置。
［Ｃ４８］
前記ＭＡＣレイヤに受け渡される前記情報のタイプが前記第１のＭＡＣパケットのタイプに依存する、Ｃ４１に記載の装置。
［Ｃ４９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ４１に記載の装置。
［Ｃ５０］
前記ＭＡＣレイヤは、前記第２のＭＡＣパケットが前記第１のＭＡＣパケットに応答して受信されたかどうかを決定するために前記情報を使用する、Ｃ４１に記載の装置。
［Ｃ５１］
第１のメディアアクセス制御（ＭＡＣ）パケットを取得するための手段と、
前記第１のＭＡＣパケットの物理（ＰＨＹ）レイヤヘッダを処理するための手段と、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すための手段と
を備える、ワイヤレス通信のための装置。
［Ｃ５２］
前記情報が、前記第１のＭＡＣパケットの受信を確認する構造中で前記ＭＡＣレイヤに受け渡される、Ｃ５１に記載の装置。
［Ｃ５３］
前記情報が、前記第１のＭＡＣパケットの一部分のための巡回冗長検査（ＣＲＣ）値を生成するために使用された情報を備える、Ｃ５１に記載の装置。
［Ｃ５４］
前記第１のＭＡＣパケットの前記一部分が前記ＰＨＹヘッダの信号（ＳＩＧ）フィールドを備える、Ｃ５３に記載の装置。
［Ｃ５５］
前記情報が、前記第１のＭＡＣパケットのためのフレーム検査シーケンス（ＦＣＳ）値を生成するために使用された情報を備える、Ｃ５１に記載の装置。
［Ｃ５６］
前記情報が、前記第１のＭＡＣパケットの１つまたは複数の部分をスクランブルするために使用された情報を備える、Ｃ５１に記載の装置。
［Ｃ５７］
前記第１のＭＡＣパケットの前記１つまたは複数の部分をスクランブルするために使用された前記情報が前記第１のＭＡＣパケットのサービスフィールド中に含まれる、Ｃ５６に記載の装置。
［Ｃ５８］
前記ＭＡＣレイヤに受け渡される前記情報のタイプが前記第１のＭＡＣパケットのタイプに依存する、Ｃ５１に記載の装置。
［Ｃ５９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ５１に記載の装置。
［Ｃ６０］
前記ＭＡＣレイヤは、前記第２のＭＡＣパケットが前記第１のＭＡＣパケットに応答して生成されたという指示として前記第２のＭＡＣパケットのためのフレーム識別子を生成するために前記情報を使用する、Ｃ５１に記載の装置。
［Ｃ６１］
少なくとも１つのアンテナと、
第１のメディアアクセス制御（ＭＡＣ）パケットのための物理（ＰＨＹ）レイヤヘッダを生成し、前記ＰＨＹレイヤにおいて生成された情報を、前記第１のＭＡＣパケットに応答して受信されるべき第２のＭＡＣパケットを処理する際に使用するためにＭＡＣレイヤに受け渡すように構成された処理システムと、
前記少なくとも１つのアンテナを介して、送信のための前記第１のＭＡＣパケットを送信し、前記第２のＭＡＣパケットを受信するためのトランシーバと
を備える、ワイヤレス局。
［Ｃ６２］
少なくとも１つのアンテナと、
前記少なくとも１つのアンテナを介して第１のメディアアクセス制御（ＭＡＣ）パケットを受信するための受信機と、
前記第１のＭＡＣパケットの物理（ＰＨＹ）レイヤヘッダを処理し、前記ＰＨＹヘッダを処理することから導出された情報を、前記第１のＭＡＣパケットに応答して送信されるべき第２のＭＡＣパケットを生成する際に使用するためにＭＡＣレイヤに受け渡すように構成された処理システムと
を備える、ワイヤレス局。
［Ｃ６３］
第１のメディアアクセス制御（ＭＡＣ）パケットのための物理（ＰＨＹ）レイヤヘッダを生成することと、
前記ＰＨＹレイヤにおいて生成された情報を、前記第１のＭＡＣパケットに応答して受信されるべき第２のＭＡＣパケットを処理する際に使用するためにＭＡＣレイヤに受け渡すことと、
送信のための前記第１のＭＡＣパケットを出力し、前記第２のＭＡＣパケットを取得することと
を行うための命令を記憶した、コンピュータ可読媒体を備えるワイヤレス通信のためのコンピュータプログラム製品。
［Ｃ６４］
第１のメディアアクセス制御（ＭＡＣ）パケットを取得することと、
前記第１のＭＡＣパケットの物理（ＰＨＹ）レイヤヘッダを処理することと、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すことと
を行うための命令を記憶した、コンピュータ可読媒体を備えるワイヤレス通信のためのコンピュータプログラム製品。
【図１】
0006309638.tif 000002
【図２】
0006309638.tif 000003
【図３】
0006309638.tif 000004
【図４】
0006309638.tif 000005
【図４Ａ】
0006309638.tif 000006
【図５】
0006309638.tif 000007
【図５Ａ】
0006309638.tif 000008
【図６】
0006309638.tif 000009
【図６Ａ】
0006309638.tif 000010
【図７】
0006309638.tif 000011
【図７Ａ】
0006309638.tif 000012
【図８】
0006309638.tif 000013
【図９】
0006309638.tif 000014